(57)【特許請求の範囲】
【請求項１】
筐体状の空気調和機本体と、
この空気調和機本体の内部に収容される熱交換器と、
この熱交換器の下部に設けられ、熱交換器で生成されるドレン水を受けるドレンパンと、
前記空気調和機本体の下面部に設けられた化粧パネルと、
この化粧パネルに設けた吸込口を覆い、この化粧パネルに着脱自由に収容される吸込グリルと、
前記ドレンパンの底面の前記吸込口と対向する部位に設けられ、ドレンパンに残留するドレン水を排出するドレン排水口と、
このドレン排水口に着脱自由に取り付けられ、ドレン排水口を塞ぐ排水栓部材と、
この排水栓部材に設けられ、ドレン水を必要に応じて流す弁体及びこの弁体を操作する操作レバーを備えたコックと、
前記吸込グリルを昇降させる昇降装置とを備え、
前記コックが閉状態にない状態では、前記操作レバーが前記化粧パネルの吸込グリルに当接し、この化粧パネルの吸込口内に吸込グリルが完全に収容されないことを特徴とする天井埋込形空気調和機。
【請求項２】
筐体状の空気調和機本体と、
この空気調和機本体の内部に収容される熱交換器と、
この熱交換器の下部に設けられ、熱交換器で生成されるドレン水を受けるドレンパンと、
前記空気調和機本体の下面部に設けられた化粧パネルと、
この化粧パネルに設けた吸込口を覆い、この化粧パネルに着脱自由に収容されかつ前記吸込口に片持ちで枢支された吸込グリルと、
前記ドレンパンの底面の前記吸込口と対向する部位に設けられ、ドレンパンに残留するドレン水を排出するドレン排水口と、
このドレン排水口に着脱自由に取り付けられ、ドレン排水口を塞ぐ排水栓部材と、
この排水栓部材に設けられ、ドレン水を必要に応じて流す弁体及びこの弁体を操作する操作レバーを備えたコックと、
を備え、
前記コックが閉状態にない状態では、前記操作レバーが前記化粧パネルの吸込グリルに当接し、この化粧パネルの吸込口内に吸込グリルが完全に収容されないことを特徴とする天井埋込形空気調和機。
【発明の詳細な説明】
【技術分野】
【０００１】
本発明は天井埋込形空気調和機に係り、特にドレンパンのドレン排水ロに設けるコックの閉め忘れを感知できる天井埋込形空気調和機に関する。
【背景技術】
【０００２】
従来、天井埋込形空気調和機は、ドレンポンプの故障時や内部清掃（熱交換器、ドレンパン等）時に使用するためにドレンパンにドレン排水口が設けられる。
【０００３】
例えば、特許文献１に記載の空気調和機には、ドレンポンプ直下のドレンパンにドレン排水口が設けられ、これにドレンプラグを挿入し、ドレンプラグの抜けを防止するためのドレンキャップが取り付けられている。
【０００４】
そして、ドレンキャップには、ホース接続口が設けられており、ドレンポンプの故障時またはドレンパンの洗浄時には、ホースを接続してドレンの排水を行うようになっている。
【０００５】
しかしながら、特許文献１に記載の空気調和機は、ドレンソケットを取り外すためには、先にドレンキャップを取り外す必要がある上に、ドレンソケットを取り外すときには、ドレン水の処理が必要であり、手間がかかっていた。
【０００６】
また、作業後、ドレンキャップを取り付けてしまうと、ドレンソケットを取り付けたか否か確認することができない。ドレンソケットを取り付け忘れるとドレン水が室内に漏れることになる。
【特許文献１】特開２００７−２４４５４号公報
【発明の開示】
【発明が解決しようとする課題】
【０００７】
本発明は上述した事情を考慮してなされたもので、ドレン水の処理に手間がかからず、ドレン水が室内に漏れるのを防止できる天井埋込形空気調和機を提供することを目的とする。
【課題を解決するための手段】
【０００８】
上述した目的を達成するため、本発明に係る天井埋込形空気調和機は、筐体状の空気調和機本体と、この空気調和機本体の内部に収容される熱交換器と、この熱交換器の下部に設けられ、熱交換器で生成されるドレン水を受けるドレンパンと、前記空気調和機本体の下面部に設けられた化粧パネルと、この化粧パネルに設けた吸込口を覆い、この化粧パネルに着脱自由に収容される吸込グリルと、前記ドレンパンの底面の前記吸込口と対向する部位に設けられ、ドレンパンに残留するドレン水を排出するドレン排水口と、このドレン排水口に着脱自由に取り付けられ、ドレン排水口を塞ぐ排水栓部材と、この排水栓部材に設けられ、ドレン水を必要に応じて流す弁体及びこの弁体を操作する操作レバーを備えたコックと、前記吸込グリルを昇降させる昇降装置とを備え、前記コックが閉状態にない状態では、前記操作レバーが前記化粧パネルの吸込グリルに当接し、この化粧パネルの吸込口内に吸込グリルが完全に収容されないことを特徴とする。
【発明の効果】
【０００９】
本発明に係る天井埋込形空気調和機によれば、ドレン水の処理に手間がかからず、ドレン水が室内に漏れるのを防止できる天井埋込形空気調和機を提供することができる。
【発明を実施するための最良の形態】
【００１０】
本発明の第１実施形態に係る天井埋込形空気調和機について図面を参照して説明する。
【００１１】
図１は本発明の第１実施形態に係る天井埋込形空気調和機の化粧パネルを取外した状態で示す斜視図であり、図２は化粧パネルを取外した本第１実施形態の天井埋込形空気調和機の底面図である。
【００１２】
図１及び図２に示すように、本第１実施形態に係る天井埋込形空気調和機１は、天井板に設けられた取付け用開口部に室内側から挿入され、吊り下げボルト等を介して、いわゆる天井裏に吊持固定される筐体状の空気調和機本体（以下、単に本体という。）２と、この本体２の下面部に取付けられ、天井板から室内側に露出する化粧パネル３とから構成される。
【００１３】
本体２は、下面部が開口し、天板部と側面部に金属薄板を加工してなる板金製のケーシング４を備える。このケーシング４の内周面は発泡スチロール材等からなる断熱材が取付けられ、内周面全面に亘って断熱材で覆われている。したがって、室内機本体２は断熱構造をなす。
【００１４】
室内機本体２における下面開口部の略中央部に、ファンガードで保護された送風機５が配置される。この送風機５は、軸方向から空気を吸込んで周方向へ吹出す、遠心ファンを備える。送風機５の上方部位が本体２の天板部２ａで覆われ、下方部位が開口部となっており、下面開口部が送風機５の吸込側となる。
【００１５】
この送風機５の吹出側である周囲を囲むようにして、平面視で略四角枠状の熱交換器６が配置される。
【００１６】
この熱交換器６の下部にはドレンパン７が設けられていて、冷房運転時に熱交換器６の熱交換作用にともなって生成されるドレン水をドレンパン７が受ける。
【００１７】
このドレンパン７は、本体２の周壁に嵌め込まれ、その外側の辺部に内側へ向って凹陥形成される凹陥部７ａを有する。さらに、ドレンパン７は、一つの内角隅が内径方向へ向って突出形成され、この突出部位のドレンパン７の底面壁にドレン排水口８が設けられる。
【００１８】
このドレン排水口８は、メンテナンス時などドレンパン７に残留するドレン水や水垢状物質等（以下、これらを総称して、「ドレン水」と呼ぶ）を排出処理するための開口部である。
【００１９】
ドレン排水口８は、排水栓部材である後述のドレンキャップ１９によって開閉自在に閉塞される。図２はドレン排水口８からドレンキャップ１９を取外した状態を示していて、開口されたドレン排水口８からドレンポンプ１０が見えている。
【００２０】
ドレンポンプ１０はドレン排水口８の真上部位に設けられ、ドレンポンプ１０の直下部位にドレン排水口８が設けられていて、ドレンポンプ１０の中心軸がドレン排水口８の中心軸と一致するよう取付けられる。
【００２１】
しかも、ドレン排水口８の直径はドレンポンプ１０の直径よりも大に形成されていて、ドレン排水口８からドレンポンプ１０の外周面が完全に見える。そのため、ドレンポンプ１０を取外すことにより、ドレンポンプ１０はドレン排水口８に対して挿通自在となっている。
【００２２】
ドレン排水口８の近傍部位で、かつドレンパン７の内側一部に沿って電気部品箱１１が設けられる。この電気部品箱１１は、本体２内に収容されている電動部品を制御する制御部を含む電気部品や、リモコンに対する送受信をなす電気部品等を収容する。
【００２３】
ケーシング４の下面開口部は、図１に示す化粧パネル３によって閉成されている。この化粧パネル３は、たとえば合成樹脂材から成型されて美麗に仕上げられており、天井板から室内に対して露出し、本体２周面と天井板の取付け用開口部との隙間を遮蔽する。
【００２４】
さらに、この化粧パネル３の略中央部には吸込口１２が開口されていて、この吸込口１２に収容され、フィルタを備えた吸込グリル１３によって開閉される。
【００２５】
図１は吸込グリル１３を開放して吸込口１２を露出した状態を示している。
【００２６】
吸込グリル１３の開閉（昇降）は、この吸込グリル１３をその四隅で吊るすワイヤー１４の昇降によって行なわれ、このワイヤー１４は電気部品箱１１に対向して設けた昇降装置１５の巻き取りローラ（図示せず）によって昇降される。
【００２７】
また、吸込口１２は、送風機５および熱交換器６の内側部と対向する部位に開口していて、略矩形状をなす。この吸込口１２に吸込グリル１３が着脱自在に取付けられる。吸込グリル１３は、吸込口１２における室内空気の流通を可能としながら、吸込口１２からケーシング４内部に対する遮蔽をなす。メンテナンス時には、吸込グリル１３を開放することでフィルタを取外すことができ、室内床上でのフィルタの掃除が可能である。
【００２８】
ドレンパン７に設けられるドレン排水口８は、ドレンパン７の一つの内角隅部に設けられるところから、化粧パネル３の吸込ロ１２と対向する部位にある。また、化粧パネル３の各辺部に沿って吹出口１６が設けられていて、これは室内機本体１側面壁とドレンパン７の凹陥部７ａとで形成される隙間部に対向する。
【００２９】
さらに、化粧パネル３と送風機５との間にはベルマウス１７が設けられ、周囲をドレンパン７で囲まれる。ベルマウス１７は、送風機５側が小径で、化粧パネル３の吸込口１２側が大径のホーン状に形成される。一部は電気部品箱１１によって吸込口１２に対して遮蔽されるが、送風案内の機能は保持している。
【００３０】
さらに、ドレンポンプ１０の取付け構造について説明する。
【００３１】
図３に示すように、ドレンポンプ１０は吸込部１０ａを下部側であるドレン排水口８に向け、上端面がポンプ支持具１８に取り付けられる。ドレン排水口８に排水栓部材であるドレンキャップ１９が嵌め込まれた状態で、ドレンポンプ１０の吸込み部１０ａ端面とドレンキャップ１９との間隔は極くわずかでしかなく、ドレンポンプ１０の下部側の略半分はドレンパン７内に位置する。
【００３２】
すなわち、ドレンポンプ１０の吸込み部１０ａはドレンパン７に集溜するドレン水内に完全に浸漬するよう支持される。ドレンポンプ１０を支持するポンプ支持具１８は、ポンプ支持部１８ａから直上部位へ延出される脚部１８ｂを備えていて、この脚部１８ｂの上端は本体２を構成する天板部２ａに取付け固定される。
【００３３】
ドレンポンプ１０の裏面側には、吸込部１０ａから吸込んだドレン水を吐出する吐出部が設けられていて、ここにドレンホース２０の一端部が接続される。ドレンホース２０は、吐出部からポンプ支持具１８の脚部１８ｂ間に巻回され、さらに熱交換器６の上端部と天板部２ａとの間を越えて引き回される。
【００３４】
本体２の天板部２ａにおいて、ケーシング４の内面に取付けられる断熱材２１の一部が凹陥形成されていて、この凹陥部２１ａにドレンホース２０が挿通される。断熱材２１に対する加工は必要であるが、凹陥部２１ａを形成するだけなので、ほとんど工数に影響しない。また、熱交換器６の上端部に対して何らの加工も不要であり、工数への影響は全く無い。
【００３５】
熱交換器６は、その下端面がドレンパン７の底面壁に一体に設けられる突堤部７ｂに載置される。一方で、熱交換器６の上端面は本体２の天板部２ａに設けられる断熱材４１に接触している。すなわち、熱交換器６は天板部２ａとドレンパン７との間に、上下方向から挟持固定されている。
【００３６】
ドレンパン７において、熱交換器６を支持する突堤部７ｂがドレンパン７の底面壁全周に亘って設けられていると、熱交換器６で生成されるドレン水が突堤部７ｂの内側と外側に二分されてしまうため、ドレン排水口８とドレンポンプ１０は熱交換器６の内側部位に設けられている。
【００３７】
熱交換器６で生成され流下して突堤部７ｂの内側に集溜するドレン水は、そのままドレン排水口８およびドレンポンプ１０に導かれるが、突堤部７ｂの外側に集溜するドレン水はそこで溜ってしまい、突堤部７ｂをオーバーフローしない限りドレン排水口８とドレンポンプ１０に導かれないこととなる。
【００３８】
そのため、突堤部７ｂの少なくとも一箇所において、ある程度の長さ寸法をもって突堤部７ｂが切欠加工される。すなわち、突堤部７ｂが中断され、この中断部７ｃにおいてドレンパン７の底面壁が露出する。これにより、熱交換器６から突堤部７ｂの外側部位に流下したドレン水は、中断部７ｃを介して内側部位に導かれ、ドレン口８もしくはドレンポンプ１０から排出されることになる。
【００３９】
また、ドレン排水口８とドレンキャップ１９について説明する。
【００４０】
図４に示すように、ドレン排水口８は、周面に沿って下方に一体に設けられる突部を有し、この突部の内周壁にねじ孔部である雌ねじ部８ａが設けられる。
【００４１】
ドレンキャップ１９は、ドレン排水口８の直径よりも大なる直径の円形をなす鍔部１９ａと、この鍔部１９ａの一側面に突設され、外周壁に雌ねじ部８ａと螺合可能なねじ部である雄ねじ部１９ｃを備える。
【００４２】
これにより、ドレンキャップ１９の雄ねじ部１９ｃをドレン排水口８の雌ねじ部８ａに螺合締結することで、ドレンキャップ１９はパッキンｐを介してドレン排水口８を閉塞する。いわゆる、スクリューキャップ構造を採用することとなり、水漏れのない確実な閉栓作業を行える。または、ドレンキャップ１９をドレン排水口８から螺脱し取外すことで、ドレン排水口８を完全開口できる。
【００４３】
ドレンキャップ１９の雄ねじ部１９ｃには、周方向に沿って複数のドレン排水用孔２２が互いに間隔を存して設けられ。一方、ドレン排水口８の雌ねじ部８ａには、ドレン排水用孔２２と略同一寸法、もしくは小さい寸法に開口されるドレン排水用溝２３が１ヶ所設けられる。
【００４４】
また、図４及び図５（ａ）に示すように、ドレンキャップ１９の底部には、排水孔１９ｂが設けられ、さらに、底部裏面にはこの裏面に固着された取付部材２４を介してコック２５が一体的に取り付けられる。
【００４５】
コック２５は略円筒形状のコック本体２５ａ内に回動自在に設けられ、円柱状で流路が凹設された弁体２５ｂと、この弁体２５ｂを操作する操作レバー２５ｃを備え、さらに、コック本体２５ａには、排水孔１９ｂに連通する流入部２５ｄと、この流入部２５ｄと反対側の端部に排出ホース接続部２５ｅが設けられる。
【００４６】
従って、図５（ｂ）に示すように、操作レバー２５ｃが水平状態では、コック２５が閉止状態になって、ドレンパン７内に溜まったドレン水はドレン排水口８を介して流出しない。
【００４７】
一方、操作レバー２５ｃが垂直状態では、コック２５が開放状態になって、ドレンパン７内に溜まったドレン水はドレン排水口８、コック２５を介して流出する。
【００４８】
図６（ａ）に示すように、化粧パネル２の吸込口１２に収容される吸込グリル１３は、コック２５が閉じられて、レバー２５ｃが水平状態では、レバー２５ｃに邪魔されることなく、吸込口１２に収容される。
【００４９】
一方、図６（ｂ）に示すように、コック２５が開放され、レバー２５ｃが垂直状態では、レバー２５ｃに邪魔され、吸込グリル１３は、吸込口１２に収容されない。
【００５０】
第１実施形態の天井埋込形空気調和機において、送風機５が駆動されると室内空気が吸込グリル１３と吸込口１２を介し、ベルマウス１７に案内されて本体２内に吸引される。室内空気は熱交換器６の一次側から熱交換器６を流通し、熱交換されてから二次側へ導出される。
【００５１】
熱交換空気は吹出し口１６から室内へ吹出され、室内の空気調和をなす。特に冷房運転時には、熱交換器６の熱交換作用にともなってドレン水が生成され、ドレンパン７に滴下する。時間の経過とともにドレンパン７におけるドレン水の集溜量が増大し、水位が上昇する。
【００５２】
フロートスイッチがドレンパン７内のドレン水の水位を常時検知していて、ドレン水の水位が基準の最高水位を越えたことを検知すると、フロートスイッチは制御部へ検知信号を送る。制御部はドレンポンプ１０へ駆動信号を送り、ドレンポンプ１０はドレン水を吸上げドレンホース２０を介して外部へ排出する。
【００５３】
ドレンパン７に集溜されたドレン水は、ドレンパン７をオーバーフローすることなく円滑に排水される。ドレン水の水位が徐々に降下して最低基準水位にまで降下したことをフロートスイッチが検知すると、再び制御部へ検知信号が送られる。制御部はドレンポンプ１０に停止信号を送り、ドレン水の排水を停止させる。
【００５４】
このような天井埋込形空気調和機の運転を継続して、空気調和機内部の清掃が必要な場合には、次のような手順で行う。  
（１）図１に示すように、制御部により昇降装置１１を作動させて、ワイヤー１４を下に延ばして吸込グリル１３を所定の位置まで降下させる。  
（２）天井埋込形空気調和機（室内機）の電源を切る。  
（３）図５に示すように、コック２５の排出ホース接続部２５ｅに排水用ホースＰを接続する。  
（４）図５（ｂ）に示すように、コック２５は閉止状態にあり、水平状態にある操作レバー２５ｃを垂直状態にして、コック２５を開放する。  
（５）洗浄剤等で熱交換器６を洗浄する。  
（６）ドレンパン７で受けた洗浄剤および汚れを排水孔１９ｂ、コック２５を介して排水用ホースＰから排出する。  
（７）図５（ｂ）及び図６（ａ）に示すように、操作レバー２５ｃを垂直状態から水平状態にして、コック２５を閉止する。  
（８）コック２５から排水用ホースＰを外す。  
（９）天井埋込形空気調和機の電源を入れる。  
（１０）再度、制御部により昇降装置１１を作動させて、吸込グリル１３を上昇させて吸込グリルを化粧パネル３に収容する。
【００５５】
上記清掃過程において、図６（ｂ）に示すように、操作レバー２５ｃを水平状態にせず、垂直状態のままのコック２５を閉め忘れた状態では、吸込グリル１３が、操作レバー２５ｃに当たり化粧パネル３に完全に収容されずに、本体表示部やリモコン表示部にエラー表示が表示される。
【００５６】
また、このエラー表示は、図７に示すようなフローチャートに沿って行なわれる。
【００５７】
上記手順（１０）のように、制御部により昇降装置１１を作動させる（Ｓ１）。
【００５８】
所定カウントに到達したかを判断する（Ｓ２）。
【００５９】
上記手順（１）において、吸込グリル１３が所定の位置まで降下するまでの巻き取りローラの回転数をパルスとし、制御部のメモリに記憶されている。
【００６０】
所定カウントに到達したとき（Ｓ２のＹｅｓ）、吸込グリル１３を停止する（Ｓ３）。
【００６１】
カウントが所定カウントに到達したことは、下に所定長さ延びていたワイヤー１４が、所定長さ巻き取られ、吸込グリル１３も上昇して、図６（ａ）に示すように、吸込グリル１３が化粧パネル３の吸込口１２内に収容されたことを意味する。
【００６２】
所定カウントに到達していないとき（Ｓ２のＮｏ）、昇降装置１５に渦電流が３秒以上流れたか否か判断する（Ｓ４）。
【００６３】
所定カウントに到達していないことは、吸込グリル１３が粧パネル３に収容されていないことを意味する。
【００６４】
渦電流が３秒以上流れたとき（Ｓ４のＹｅｓ）、図６（ｂ）に示すように、吸込グリル１３が、操作レバー２５ｃに当たり、化粧パネル３に完全に収容されずに、本体表示部やリモコン表示部にエラー表示が表示される（Ｓ５）。
【００６５】
渦電流が３秒以上流れていないとき（Ｓ４のＮｏ）、昇降装置１５がワイヤー１４の巻き上げ途中であり、Ｓ２に戻る。
【００６６】
上記のように、空気調和機内部の清掃完了後のコック２５の閉め忘れは、操作レバー２５ｃの位置を吸込グリル１３の収容状態で検知され、本体表示部やリモコン表示部にエラー表示として表示されるので、空気調和機の再使用時、コック２５の閉め忘れによるドレン水の室内への落下を防止できる。
【００６７】
本実施形態の天井埋込形空気調和機によれば、ドレン水の処理に手間がかからず、ドレン水が室内に漏れるのを防止できる天井埋込形空気調和機が実現される。
【００６８】
また、本発明の第２実施形態に係る天井埋込形空気調和機について説明する。
【００６９】
本第２実施形態は、第１実施形態が吸込グリルをワイヤー及び昇降装置により昇降させるのに対して、吸込口に片持ちで枢支された吸込グリルが手動により昇降される。
【００７０】
図８に示すように、第２実施形態に係る天井埋込形空気調和機１Ａの吸込グリル１３は、吸込口（化粧パネル）に片持ちで枢支され、手動により昇降される。
【００７１】
図６（ａ）に示すように、操作レバー２５ｃが水平状態では、コック２５が閉止された状態であり、吸込グリル１３は、化粧パネル３に収容される。
【００７２】
一方、図６（ｂ）に示すように、操作レバー２５ｃを水平状態にせず、垂直状態のままのコック２５を閉め忘れた状態では、吸込グリル１３が、操作レバー２５ｃに当たり化粧パネル３に完全に収容されずに、コック２５の閉め忘れを確認できる。
【００７３】
なお、他の構成は図１に示す天井埋込形空気調和機と異ならないので、同一符号を付して説明は省略する。
【００７４】
これにより、本第２実施形態の天井埋込形空気調和機によれば、ドレン水の処理に手間がかからず、ドレン水が室内に漏れるのを防止できる天井埋込形空気調和機が実現される。
【図面の簡単な説明】
【００７５】
【図１】本発明の第１実施形態の天井埋込形空気調和機の化粧パネルを取外した状態の斜視図。
【図２】本発明の第１実施形態の天井埋込形空気調和機の化粧パネルを取外した状態の底面図。
【図３】本発明の第１実施形態の天井埋込形空気調和機の室内機本体一部の概略の断面図。
【図４】本発明の第１実施形態の天井埋込形空気調和機のドレンパンのー部及びドレンキャップの斜視図。
【図５】本発明の第１実施形態の天井埋込形空気調和機に用いるコックを示し、（ａ）は縦断面図、（ｂ）はコック開閉状態と操作レバー位置を示す説明図。
【図６】本発明の第１実施形態の天井埋込形空気調和機に用いるコック開閉状態と化粧パネルの関係を示し、（ａ）はコック閉止状態、（ｂ）はコック開状態を示す図。
【図７】本発明のエラー表示を示すフロー図。
【図８】本発明の第２実施形態の天井埋込形空気調和機の化粧パネルを取外した状態の斜視図。
【符号の説明】
【００７６】
１…天井埋込形空気調和機、２…空気調和機本体、２ａ…天板部、３…化粧パネル、４…ケーシング、５…送風機、６…熱交換器、７…ドレンパン、７ａ…凹陥部、７ｂ…突堤部、７ｃ…中断部、８…ドレン排水口、８ａ…雌ねじ部、１０…ドレンポンプ、１０ａ…吸込部、１２…吸込口、１３…吸込グリル、１４…ワイヤー、１５…昇降装置、１６…吹出口、１７…ベルマウス、１８…ポンプ支持具、１８ａ…ポンプ支持部、１８ｂ…脚部、１９…ドレンキャップ、１９ａ…鍔部、１９ｂ…排水孔、１９ｃ…雄ねじ部、２０…ドレンホース、２２…ドレン排水用孔、２３…ドレン排水用溝、２４…取付部材、２５…コック、２５ａ…コック本体、２５ｂ…弁体、２５ｃ…操作レバー、２５ｄ…流入部、２５ｅ…排出ホース接続部、Ｐ…排水用ホース。
【図１】
0005311888.tif 000002
【図２】
0005311888.tif 000003
【図３】
0005311888.tif 000004
【図４】
0005311888.tif 000005
【図５】
0005311888.tif 000006
【図６】
0005311888.tif 000007
【図７】
0005311888.tif 000008
【図８】
0005311888.tif 000009